(57)【要約】      （修正有）【課題】装置として簡単になり、高架橋下或いは架線等により上空に制限のある場所においても、極限まで鋼材を吊り上げて移動し土中に打ち込み等するのに好適な土工機に適用の鋼材吊り上げ装置を提供する。【解決手段】土工機１３に装着され傾斜角度を変更可能に制御されているアーム１６の先端部に係着され該先端部の上方への移動に伴って水平状態から垂直状態に回動する支持板２と、該支持板２の上方部に設けられ鋼材Ａを該支持板２に沿って係止する鋼材係止手段３とからなる。【選択図】図４
2014034456.tif 000002
【特許請求の範囲】
【請求項１】
土工機に装着され傾斜角度を変更可能に制御されているアームの先端部に係着され該先端部の上方への移動に伴って水平状態から垂直状態に回動する支持板と、該支持板の上方部に設けられ鋼材を該支持板に沿って係止する鋼材係止手段とからなる鋼材吊り上げ装置。
【請求項２】
前記鋼材係止手段は、前記支持板の上方部をＵ字状に折り返して形成した鋼材介入部と、前記支持板に進退可能に設けられ前記鋼材介入部内に介入する鋼材の上端部に形成した係合孔に挿入する係止ロッドと、前記支持板の後面に設けられ前記係止ロッドを進退する進退駆動手段とからなる請求項１に記載の鋼材吊り上げ装置。
【請求項３】
前記進退駆動手段は、油圧でピストンが往復動する油圧シリンダー又は電動モータからなる請求項２に記載の鋼材吊り上げ装置。
【請求項４】
前記支持板の後面の下方部に錘体を固定した請求項１乃至請求項３のいずれか１に記載の鋼材吊り上げ装置。
【発明の詳細な説明】
【技術分野】
【０００１】
本発明は、高架橋下或いは架線等により上空に制限のある場所において、鋼材を吊り上げて移動して設置等するのに好適な土工機に適用する鋼材吊り上げ装置に関する。
【背景技術】
【０００２】
従来、鋼矢板やＨ鋼等の鋼材を縦にして吊り上げて移動する場合には、走行クレーンのジブの先端から吊り下げられ中間に過巻防止装置を介在した巻き上げワイヤーの下端にフックを結着し、該フックに、鋼材の上端部の透孔にシャックルを介して結着した吊りワイヤーの上端部を係止して前記鋼材を吊り下げ移動する方法が一般的に行われていた。
【０００３】
しかし、この従来の方法によると、前記ジブの先端から前記鋼材の頂部までの間に、巻き上げワイヤー、過巻防止装置、フック、吊りワイヤーやシャックルが存在し、これらのものにより２〜４ｍの空間が必要となり、このために、上空制限のある場所で鋼材を縦に吊り上げる場合に、吊り上げる鋼材の長さが制限高さの５０％程度から１０％程度まで短くなり、又、このような高さ制限のある場所で、鋼矢板やＨ鋼等の鋼材を地中に打ち込む場合、鋼材を短尺に切って接続しながら施工する必要があり、かくて、施工スピードが遅くなり、又、施工費単価が通常の２倍から１０倍程度に増加して工事費の増加となる問題点があった。
【０００４】
又、天井等により上空制限があって、天井等の近傍まで部材を吊り上げ可能なクレーン用吊り具として、図６に示す如く、クレーンの第２アームａの先端にブラッケトｂを取着し、その先端上部に第２アームａの上面よりも上方へ突出するガイドｃを設けると共に鋼材昇降手段ｄのチェーンブロックｅをブラッケトｂに取着し、チェーンｆをガイドｅを介して第２アームａの前方に掛け回し、鋼材保持手段ｇの保持プレートｈの背面に固設した吊り金具ｉに連結し、鋼材保持手段ｇに保持した鋼材ｊをガイドｅ近傍まで吊り上げ、鋼材保持手段ｇの下部を角度調整手段ｋで位置決めし、鋼材ｊの姿勢を制御し、天井近傍まで鋼材ｊを持ち上げるようにした吊り具が知られている（特許文献１参照）。
【先行技術文献】
【特許文献】
【０００５】
【特許文献１】特開平１１−１０６１７７号公報
【発明の概要】
【発明が解決しようとする課題】
【０００６】
しかし、この従来の吊り具は、クレーンの第２アームａの先端に取着したブラッケトｂと、その先端上部に設けたガイドｃと、鋼材ｊを保持する鋼材保持手段ｇと、該鋼材保持手段ｇに結着し前記ガイドｃに掛け回したチェーンｆを伸縮する鋼材昇降手段ｄのチェーンブロックｅと、鋼材保持手段ｇの下部を位置決めして鋼材ｊの姿勢を制御する角度調整手段ｋとの構成要素からなり、多くの構成要素を必要として構造が複雑になると共に、使用材料である鋼材ｊを上空制限の極限まで持ち上げるのが不可能である問題点があった。
【０００７】
本発明はこれらの問題点を解消し、装置として簡単になり、高架橋下或いは架線等により上空に制限のある場所においても、上空制限の極限まで鋼材を吊り上げて移動して設置等するのに好適な土工機に適用の鋼材吊り上げ装置を提供することを目的とする。
【課題を解決するための手段】
【０００８】
本発明はこの目的を達成すべく、土工機に装着され傾斜角度を変更可能に制御されているアームの先端部に係着され該先端部の上方への移動に伴って水平状態から垂直状態に回動する支持板と、該支持板の上方部に設けられ鋼材を該支持板に沿って係止する鋼材係止手段とからなる。
【発明の効果】
【０００９】
本発明によれば、施工スピードが早くなると共に工事費が廉価となり、装置として簡単で、高架橋下或いは架線等により上空に制限のある場所において、上空制限の極限まで鋼材を吊り上げて移動して設置等するのに好適な土工機に適用の鋼材吊り上げ装置を提供する効果を有する。
【図面の簡単な説明】
【００１０】
【図１】本発明の実施例１の鋼材吊り上げ装置の正面図である。
【図２】該鋼材吊り上げ装置の右側面図である。
【図３】該鋼材吊り上げ装置の左側面図である。
【図４】該鋼材吊り上げ装置を土工機の油圧ショベルのアームの先端部に装着し該鋼材吊り上げ装置により係止した鋼材が垂直になっている状態を示す正面図である。
【図５】該鋼材吊り上げ装置により係止した鋼材が水平になっている状態を示す正面図である。
【図６】従来の鋼材吊り上げ具の側面図である。
【発明を実施するための形態】
【００１１】
本発明を実施するための形態の実施例を以下に示す。
【実施例１】
【００１２】
本発明の実施例１を図１乃至図５により説明する。
【００１３】
図１は本発明の実施例１の鋼材吊り上げ装置の正面図、図２は該鋼材吊り上げ装置の右側面図、図３は該鋼材吊り上げ装置の左側面図、図４は該鋼材吊り上げ装置を土工機の油圧ショベルのアームの先端部に装着し該鋼材吊り上げ装置により係止した鋼材が垂直になっている状態を示す正面図、図５は該鋼材吊り上げ装置により係止した鋼材が水平になっている状態を示す正面図である。
【００１４】
１は本実施例の鋼材吊り上げ装置、２は該鋼材吊り上げ装置の支持板、３は該鋼材吊り上げ装置１の鋼材係止手段を示し、該支持板２は、長方形状の板部２ａからなり、該板部２ａの背面の中間部の左右に支持突片４を突設し、これら支持突片４は、その先端部に形成されている支持孔５において、後述するアーム１６の先端部に回動可能に枢支されている。
【００１５】
前記鋼材係止手段３は、前記板部２ａの上方部を前方側にＵ字状に折り返して形成した鋼材介入部６と、該鋼材介入部６において前記板部２ａに対向する受板部２ｂに形成した係止孔７と、該板部２ａの上方部に形成した挿通孔８と、該挿通孔８を貫通して前記受板部２ｂに向かって進退し前記係止孔７に係止可能な係止ロッド９と、前記板部２ａの後面の上方部に設けられ該係止ロッド９を進退する進退駆動手段１０とからなり、該進退駆動手段１０は、例えば油圧でピストンが往復動する油圧シリンダー又は電動モータからなる。
【００１６】
１１は錘体を示し、該錘体１１は前記板部２ａの後面の下方部に固定されている。又、１２は前記係止孔７を端部で閉じる蓋体を示す。
【００１７】
次に本実施例１の鋼材吊り上げ装置１の作用と効果を説明する。
【００１８】
予め、鋼材吊り上げ装置１をその支持突片４の支持孔５を利用して土工機の例えば油圧ショベル１３のアーム１６の先端部に枢支する。このとき、係止ロッド９は後退してその先端も挿通孔８内に没入した状態である。
【００１９】
ここで、前記土工機とは、土木工事に用いられ、油圧ショベルや削孔機の如く、移動可能に制御された土工機本体に、傾斜角度の制御可能なアームを装着して構成されており、該アームの先端部にバケットやオーガ―ボーリング等を取り付けて使用するものである。
【００２０】
前述の如く鋼材吊り上げ装置１を枢支して装着した後、油圧ショベル１３を運転して地上に水平状態で保管されている鋼材、例えば、鋼矢板Ａが置かれている場所に移動し、該油圧ショベル１３のブーム１４の起伏と旋回の動作をさせると共にアームシリンダーを作動してリンク１５を介してアーム１６を起伏動作させて該アーム１６の先端部を下方に移動し、前記鋼材吊り上げ装置１の支持板２を地上に接触させて水平状態にし、次に、前記アーム１６を作動して該鋼材吊り上げ装置１の支持板２を水平状態を保持しながら鋼矢板Ａの方向に移動して図５に示す如く鋼材介入部６に該鋼矢板Ａの上端部を介入した後、進退駆動手段１０を駆動して前記係止ロッド９を進出し該係止ロッド９を前記鋼矢板Ａの上端部に形成の係合孔Ｂ内に挿通して該係止ロッド９の先端を前記受板部２ｂの係止孔７に係止する。
【００２１】
その後、油圧ショベル１３のブーム１４の起伏と旋回の動作をすると共にアームシリンダーを作動してリンク１５を介してアーム１６を起伏動作させてその先端部を上方に移動すると、前記鋼材吊り上げ装置１の支持板２は錘体１１の重力作用により垂直状態になる。このとき、鋼矢板Ａも係止ロッド９を介して垂直に吊り下がった状態になる。
【００２２】
その後、油圧ショベル１３を運転して鋼矢板Ａを吊り下げた状態で土留めや締切り等の工事個所に運搬移動して設置する。その後、前記進退駆動手段１０を駆動して前記係止ロッド９を後退し、該鋼矢板Ａを鋼材吊り上げ装置１から分離する。
【００２３】
尚、前記実施例においては、鋼材吊り上げ装置１を油圧ショベル１３のアーム１６の先端部に装着した例を示したが、鋼材吊り上げ装置１を、油圧ショベル以外の削孔機等の土工機のアームの先端部に装着して使用してもよい。
【００２４】
このように、鋼材吊り上げ装置１を土工機のアームの先端部に装着し、該鋼材吊り上げ装置１を垂直にしてこれに鋼矢板Ａ等の鋼材を垂直状態に係止して移動するようにしたので、狭い間隔で平行に架設されている架線や橋梁下等の上空制限内においても、極限まで鋼材を持ち上げて鋼材の運搬や打ち込み等が可能である。
【産業上の利用可能性】
【００２５】
本発明の鋼材吊り上げ装置は、橋梁や高速道路の高架下や、電力・通信線が架設された道路における基礎工事や土留め締切り等の土木工事に利用される。
【符号の説明】
【００２６】
１      鋼材吊り上げ装置
２      支持板
３      鋼材係止手段
６      鋼材介入部
８      係止ロッド
１０      進退駆動手段
１１      錘体
１３      土工機
１６      アーム
Ａ      鋼材
【図１】
2014034456.tif 000003
【図２】
2014034456.tif 000004
【図３】
2014034456.tif 000005
【図６】
2014034456.tif 000006
【図４】
2014034456.tif 000007
【図５】
2014034456.tif 000008